(57)【特許請求の範囲】
【請求項１】
テレビジョン放送の番組データを受信する番組データ受信手段と、該番組データ受信手段により受信した番組データに基づいて番組表を生成する番組表生成手段と、該番組表生成手段で生成された番組表を表示手段に表示する表示駆動手段とを備えた番組表表示装置において、
前記番組表生成手段が、番組データを受信していない未受信番組に該当する番組表の表示領域である未受信番組枠については、未受信枠画像を生成して番組表を形成する未受信枠画像生成手段を備え、
さらに、前記番組データを記憶する番組データ記憶手段と、
該番組データ記憶手段に記憶された番組データに基づいて連続番組の検出を行う連続番組検出手段とを備えていることを特徴とする番組表表示装置。
【請求項２】
テレビジョン放送の番組データを受信する番組データ受信手段と、該番組データ受信手段により受信した番組データに基づいて番組表を生成する番組表生成手段と、該番組表生成手段で生成された番組表を表示手段に表示する表示駆動手段とを備えた番組表表示装置において、
前記番組表生成手段が、番組データを受信していない未受信番組に該当する番組表の表示領域である未受信番組枠については、未受信枠画像を生成して番組表を形成する未受信枠画像生成手段を備え、
さらに、番組データを記憶する番組データ記憶手段と、
該番組データ記憶手段に記憶された番組データと前記未受信枠の日時とに基づいて前記未受信枠画像を予測生成する番組予測手段とを備えていることを特徴とする番組表表示装置。
【請求項３】
前記番組予測手段が、前記データ記憶手段に記憶された最新の番組データに基づいて前記未受信枠画像を予測生成するものであることを特徴とする請求項２記載の番組表表示装置。
【請求項４】
前記番組予測手段番組が、前記未受信枠の日時から所定日数前の同時刻の番組の番組データに基づいて前記未受信枠画像を予測生成するものであることを特徴とする請求項２又は請求項３記載の番組表表示装置。
【請求項５】
前記未受信枠の時間帯に応じて前記所定日数が規定されることを特徴とする請求項４記載の番組表表示装置。
【発明の詳細な説明】
【０００１】
【発明の属する技術分野】
本発明は、テレビジョン放送の番組データを受信して番組表を表示する番組表表示装置に関し、特に番組データを受信していない時間帯（番組枠）の表示処理を行う技術を備えた番組表表示装置に関する。
【０００２】
【従来の技術】
通常、視聴するテレビジョン放送の番組を選択する場合、新聞やテレビ番組雑誌の番組表から番組内容（番組名、概要や出演者）を見て選択する。しかし、最近では、ディジタル放送等のデータ放送やインターネット等の普及により番組データが提供されるようになり、テレビジョン画面等の表示手段にＥＰＧ（Electric  Program Guide ）と言われる電子番組表を表示する番組表表示装置も実現され、例えばテレビジョン装置に内蔵されるようになってきている。
【０００３】
【発明が解決しようとする課題】
しかし、従来のＥＰＧは、所定期間の番組データを受信して番組表画面を形成して表示するため、表示するのに時間がかかりテレビジョン装置の利用者が不満を感じるといった課題があった。
本発明は上記課題に鑑みなされたものであって、番組表を短時間で表示することができ、また未受信の番組データが存在しても適切で便利な番組表を表示できる番組表表示装置を提供することを目的としている。
【０００４】
【課題を解決するための手段及びその効果】
上記課題を解決するため、本発明に係る番組表表示装置（１）は、テレビジョン放送の番組データを受信する番組データ受信手段と、該番組データ受信手段により受信した番組データに基づいて番組表を生成する番組表生成手段と、該番組表生成手段で生成された番組表を表示手段に表示する表示駆動手段とを備えた番組表表示装置において、前記番組表生成手段が、番組データを受信していない未受信番組に該当する番組表の表示領域である未受信番組枠については、未受信枠画像を生成して番組表を形成する未受信枠画像生成手段を備え、さらに、前記番組データを記憶する番組データ記憶手段と、該番組データ記憶手段に記憶された番組データに基づいて連続番組の検出を行う連続番組検出手段とを備えていることを特徴としている。
【０００５】
上記番組表表示装置（１）によれば、番組データを受信していない未受信番組については未受信枠画像を生成して番組表を形成し、表示するので、完全な形ではないにしろ番組表が素早く表示され、その後徐々に番組表が完全なものとなるため、利用者にとっては素早く番組編成の概要を掴め、また全番組のデータが受信されるより早く（遅くても同時）目的とする番組情報を得ることができるので、利用者にとって便利なものとなる。
【０００６】
また、過去の放送実績（過去に受信した番組データ）に基づいて番組編成の傾向、例えば基本的に同じ（第何回等、一部のみが異なる場合もある）番組名の番組の放送時間・曜日を分析し、連続番組の検出を自動的に高精度に行うことが可能となる。
【０００７】
また、本発明に係る番組表表示装置（２）は、テレビジョン放送の番組データを受信する番組データ受信手段と、該番組データ受信手段により受信した番組データに基づいて番組表を生成する番組表生成手段と、該番組表生成手段で生成された番組表を表示手段に表示する表示駆動手段とを備えた番組表表示装置において、前記番組表生成手段が、番組データを受信していない未受信番組に該当する番組表の表示領域である未受信番組枠については、未受信枠画像を生成して番組表を形成する未受信枠画像生成手段を備え、さらに、番組データを記憶する番組データ記憶手段と、該番組データ記憶手段に記憶された番組データと前記未受信枠の日時とに基づいて前記未受信枠画像を予測生成する番組予測手段とを備えていることを特徴としている。
【０００８】
上記番組表表示装置（２）によれば、番組データを受信していない未受信番組については未受信枠画像を生成して番組表を形成し、表示するので、完全な形ではないにしろ番組表が素早く表示され、その後徐々に番組表が完全なものとなるため、利用者にとっては素早く番組編成の概要を掴め、また全番組のデータが受信されるより早く（遅くても同時）目的とする番組情報を得ることができるので、利用者にとって便利なものとなる。
【０００９】
また、過去の放送実績（過去に受信した番組データ）に基づいて番組編成の傾向、例えば基本的に同じ（第何回等、一部のみが異なる場合もある）番組名の番組の放送時間・曜日を分析し、未受信枠の番組を高精度に予測することが可能となる。
【００１０】
また、本発明に係る番組表表示装置（３）は、上記番組表表示装置（２）において、前記番組予測手段が、前記データ記憶手段に記憶された最新の番組データに基づいて前記未受信枠画像を予測生成するものであることを特徴としている。  上記番組表表示装置（３）によれば、より新しい番組データに基づいて未受信枠の番組を予測するので、より高精度に番組情報を予測することが可能となる。
【００１１】
また、本発明に係る番組表表示装置（４）は、上記番組表表示装置（２）又は（３）において、前記番組予測手段番組が、前記未受信枠の日時から所定日数前の同時刻の番組の番組データに基づいて前記未受信枠画像を予測生成するものであることを特徴としている。
上記番組表表示装置（４）によれば、現実的に所定周期（毎日・毎週等）毎に繰り返される傾向のある番組編成に適合した番組予測となるので、より精度の高い番組予想が可能となる。
【００１２】
また、本発明に係る番組表表示装置（５）は、上記番組表表示装置（４）において、前記未受信枠の時間帯に応じて前記所定日数が規定されることを特徴としている。
上記番組表表示装置（５）によれば、現実的に時間帯によって放送周期（毎日・毎週等）が決まる傾向のある番組編成に適合した番組予測となるので、より精度の高い番組様相予想が可能となる。
【００１３】
【発明の実施の形態】
以下、本発明の実施の形態について説明する。図１は本発明の実施の形態に係る番組表装置を内蔵したディジタルテレビ放送受信装置の構成を示す構成図である。
チューナ１はアンテナで受信した受信電波からユーザの希望する放送波を選択受信して増幅するもので、高周波増幅回路、同調回路等を含んで構成されている。復調部２は、チューナ１により選択受信された受信波を復調してディジタル信号を出力するもので、ディジタルテレビ放送ではＯＦＤＭ変調された放送波をＯＦＤＭ復調するＯＦＤＭ復調回路等を含んで構成されている。
【００１４】
デコード部３はＯＦＤＭ復調されたディジタル信号をデコード（解読）するもので、つまり放送局での変調前に伝送エラー防止処理、圧縮処理、結合処理等が施されたディジタル信号を元のディジタル信号に戻すもので、論理回路、ディジタルシグナルプロセッサ等により構成されている。そして、デコード部３によりデコードされたディジタル信号は、音声データ、映像データ、各種処理・制御データとして各々音声デコード部４、映像デコード部５、マイクロコンピュータ（データ伝送用のバスライン）に出力される。尚、放送信号に含まれるＥＰＧデータ（番組データ）は、データ伝送用のバスラインに出力される。
【００１５】
音声デコード部４はデコード部３からの音声データのデコードを行うもの、つまり音声データに施された伝送エラー防止処理、圧縮処理等に対応したデータエラーの復元処理、伸張処理等のディジタル演算処理を行い、本来の音声データに復元するもので、論理回路、ディジタルシグナルプロセッサ等を含んで構成されている。音声デコード部４から出力された音声信号は、ディジタル／アナログ変換、電力増幅が行われ、スピーカ１２から音声として出力されるようになっている。
【００１６】
映像デコード部５はデコード部３からの映像データのデコードを行うもの、つまり映像データに施された伝送エラー防止処理、圧縮処理等に対応したデータエラーの復元処理、伸張処理等のディジタル演算処理を行い、本来の映像データに復元するもので、論理回路、ディジタルシグナルプロセッサ等を含んで構成されている。映像デコード部５から出力された映像信号は、映像処理部６で明るさ、コントラスト、色調等の画質処理、他の画像（ＥＰＧ等）との合成・切換処理等の処理が施され、液晶表示装置等で構成されたディスプレイ１３に表示されるようになっている。映像処理部６にはＶＲＡＭが内蔵されており、このＶＲＡＭに書き込まれデータに基づいて映像信号がディスプレイ１３に出力されることとなる。つまり、ＶＲＡＭに書き込むデータを所望のデータとすることにより、希望する画像をディスプレイ１３に表示することが可能となっている。
【００１７】
ディジタルテレビ放送受信装置の全体の各種動作を制御するのがマイクロコンピュータで、マイクロコンピュータは演算処理を行う中央演算処理装置（ＣＰＵ）１０、プログラム・各種データが記憶されたＲＯＭ９、各種データの一時記憶を行うＲＡＭ８等を含んで構成されている。尚、ＲＡＭ８には電源スイッチＯＦＦ時もバックアップ電力が供給され、データが保持されるようになっている。そして、ディジタルテレビ放送受信装置の各構成部分はバスラインＢにより接続され、相互にデータ伝送が可能となっている。
【００１８】
バスラインにはモデム１１が接続され、ディジタルテレビ放送受信装置は外部との通信、例えばディジタルテレビ放送局との通信や、インターネットの接続が可能となっており、例えばテレビ放送局との通信により、あるいはインターネットのコンテンツから番組データを得ることもできるようになっている。さらに、バスラインＢには入出力インターフェイス（Ｉ／Ｏ）７が接続され、外部機器との接続が可能となっている。例えば、赤外線等を利用したリモコン１４のデータを取り込んで、そのデータに応じた動作を行うようになっており、ユーザはリモコン１４を操作することによりディジタルテレビ放送受信装置に所望の動作を行わせることが可能となっている。
【００１９】
次に、番組表の表示処理について説明する。先ず、ＥＰＧの表示処理の全体の概要を図２に示したフローチャートに基づいて説明する。この番組表の表示処理は、番組データを受信した時に行われるようになっている。
【００２０】
まず、ステップＳ１では、受信した番組データをＲＡＭ８に記憶し、その後ステップＳ２に移る。ステップＳ１における、番組データのＲＡＭ８への記憶は、過去に記憶した番組データと異なった部分だけを書き換える方式となっている。この方式の採用により、ＲＡＭ８に記憶された番組データは常に最新のものとなり、番組表生成時には最新のデータに基づいたものとなる。また、過去のデータはＲＡＭ８の割り当てられた番組データ記憶用の領域がなくなるまで保持され、その後は古い番組データが消去されてゆき記憶領域が確保される。番組データには、番組名、番組内容、ジャンル、放送時間等が含まれている。
【００２１】
ステップＳ２では、表示するＥＰＧの日時に応じてＲＡＭ８より該当する日時の番組データを選択して読み出し、その後ステップＳ３に移る。ステップＳ３では、表示するＥＰＧの日時に応じて必要な日時の番組データの内、ＲＡＭ８に記憶されていないデータを、つまり未受信の番組データを過去の番組データ等に基づいて推測生成し、ステップＳ４に移る。尚、未受信の番組データの推測生成については、例をあげて後述する。
【００２２】
ステップＳ４では、選択した受信データおよび推測生成した番組データに基づいて番組表を生成し、ＶＲＡＭに書き込み、その後処理を終える。生成されたこの番組表がディスプレイ１３に表示されることとなる。番組表の表示例は後述するが、番組表の生成は、表示する日時帯における各番組データの時間帯に応じた番組枠を生成し、その番組枠に対応する番組の番組名、内容、マーク、背景画（背景色）を記入する処理、およびその処理後に画像の所望部分に対して線や矢印等を書き込む処理等を含んで行われており、これら処理はＶＲＡＭへ書き込むデータの処理により行われる。
【００２３】
次に、番組表の表示例を説明する。図３は、ディスプレイ１３に表示された番組表の表示例を示す説明図である。番組表の上部には受信中のチャンネル番号および放送局名が表示され、左側には放送時間帯が表示されている。ディジタルテレビ放送の場合、１チャンネルで複数の番組の放送が可能であるので、本例では３列（サービス１〜３）の番組列が表示されている。そして、各サービスにおける各番組枠には、その番組枠に対応した番組名が表示されている。
【００２４】
番組の詳細（出演者やジャンル）については、番組枠の面積の関係で見にくくなるので、リモコン１４で番組枠を選択し、詳細表示操作を行った時点で番組表上に表示されるようになっている。本例では、サービス２の８時の番組枠に対応する番組データは未受信であり、他の番組枠とは異なった表示となっている。その表示方法は、下記の（１）〜（３）の方法であり、その番組枠の番組データが未受信であることがすぐに分かるようになっている。尚、これらの方法を単独で用いる方法、組み合わせて用いる方法のいずれも可能となっている。
【００２５】
（１）未受信番組枠の番組名等の番組データは無表示で、既受信番組枠とは異なる背景色Ａで塗りつぶす。
（２）未受信番組枠に番組データ未受信であることを示すマークＢを表示する。
（３）未受信番組枠に受信表示中の番組の画像Ｃを表示する。この方法の場合、受信表示中の番組の実画像による確認が可能となる。
【００２６】
また、新たな番組データにより未受信番組枠から既受信番組枠になったサービス３の１０時の番組枠については、背景色の点滅表示（所定時間間隔で色が切り替わる）を行い、番組データの受信を強調する構成となっている。また、別の実施の形態では、背景色の点滅表示以外にも、背景色を変える、マークを表示する等の方法を採用してもよく、あるいはこれらの方法を組み合わせて採用してもよく、いずれの方法においても番組データの受信を強調できる効果を有している。
【００２７】
次に、番組表の別の表示例を説明する。図４は、ディスプレイ１３に表示された番組表の表示例を示す説明図である。番組表の概要は図３に示した番組表と同様であるのでその説明を省略する。本例では、同じイベントに対する異なった番組がある場合の表示形態に特色があり、それら番組枠ＥＦの背景は他の番組枠とは異なった背景色Ａ（枠ＥＦは同じ色）で塗りつぶされている。つまり、番組枠ＥＦは同じイベントの番組であることを示す表示となっている。
【００２８】
また、別の実施の形態では、所定のマークを表示して番組枠ＥＦは同じイベントの番組であることを示すようにしてもよく、あるいはこれらの方法を併用してもよい。また、サービス３の８時放送の高校野球（同一イベント）が９時からサービス１で継続放送（所謂リレー中継）されることを示す矢印Ｇが番組表に表示されている。つまり同一イベントを放送する番組の時間的関係を示す表示が番組表に表示されている。また、サービス１の９時からの番組枠Ｆについては番組データが完全には受信されていない状態のため、番組データを既に受信している番組枠Ｅの番組データに基づいて番組データ（番組名は番組表に表示され、詳細情報は所定操作により表示される）が表示され、またその旨を示すマークが表示されている。
【００２９】
尚、同一イベントの判断は、番組データに含まれるイベント情報や番組名の同一性、あるいはリレー中継データ（リレー元あるいはリレー先データ）から判断されるが、全く番組データを受信していない時点においてはこの判断はできないため、同一イベントのリレー中継表示は、判断できる番組データ（一部）を受信した時点からの表示となる。
【００３０】
次に、番組表の更に別の表示例を説明する。図５は、ディスプレイ１３に表示された番組表の表示例を示す説明図である。番組表の概要は図３に示した番組表と同様であるのでその説明を省略する。本例は、ある番組の放送時間が変更された場合の表示形態を示しており、サービス２の８時放送のサッカー番組Ｈが９時３０分まで延長され、その後の番組、ニュース、連続ドラマが３０分ずれた場合を示している。変更前の番組枠Ｉは、サービス２の表示欄の右端に小さく、背景色も他の番組枠とは異なった表示色とされ、目立ちにくく、かつ変更前の番組であることが把握できるようになっている。また、文字等は半透明化されており、変更前の番組であることがさらに区別しやすくなっている。また、変更後の番組枠Ｊは、サービス２の表示欄の左側に比較的大きく、背景色は変更前の番組枠と類似した（例えば同色で若干濃い色や、太い枠線とする等）表示色とされ、目立ち、かつ変更後の番組であることが変更前の番組との関係で容易に把握できるようになっている。さらに、番組の変更前後の関係を示す矢印Ｋ、つまりどの番組の放送時間がどの時間帯に変わったかを示す矢印Ｋが表示され、番組の変更状況が分かりやすくなっている。
【００３１】
次に、番組表のさらに別の表示例を説明する。図６は、ディスプレイ１３に表示された番組表の表示例を示す説明図である。番組表の概要は図３に示した番組表と同様であるのでその説明を省略する。本例は、連続するイベントを時間的に分割して放送する連続番組、例えば毎日あるいは月曜日〜金・土曜日の所定時間に放送する定時ニュースや連続ドラマ、また毎週所定の曜日の所定時間に放送される連続ドラマに対する表示形態を示している。また、別の実施の形態では、この表示形態を、連続するイベントではないが関連が強い定時番組（映画やバラエティ番組）等に適用することも可能である。
【００３２】
連続するイベント（同じドラマ等）の連続番組の場合、それら番組枠Ｌ１、Ｌ２あるいはＭ１、Ｍ２の背景は他の番組枠とは異なった背景色Ａ（枠Ｌは同じ色）で塗りつぶされている。つまり、番組枠Ｌ１、Ｌ２あるいはＭ１、Ｍ２は同じイベントの連続番組であることを示す表示となっている。また、別の実施の形態では、所定のマークを表示して番組枠Ｌ１、Ｌ２あるいはＭ１、Ｍ２が同じイベントの連続番組であることを示すことも可能である。また、番組枠Ｌ１、Ｌ２の連続性を示す矢印Ｎが番組表に表示されている。つまり連続するイベントを放送する番組の時間的関係を示す表示が番組表に表示されている。尚、サービス２の８時からの番組枠Ｌ２については番組データが完全には受信されていない状態のため、番組データを既に受信している番組枠Ｌ１の番組データに基づいて番組データ（番組名は番組表に表示され、詳細情報は所定操作により表示される）が表示され、またその旨を示すマークが表示されている。
【００３３】
連続番組の判断は、番組データに含まれるイベント情報や番組名の同一性、あるいは連続番組データ（連続周期データ・放送時刻データ）から判断されるが、全く番組データを受信していない場合はこの判断はできないため、連続番組の表示は判断できる番組データ（一部）を受信した時点からの表示となる。
【００３４】
次に、番組データが未受信の場合に、連続する番組や関連が強い定時番組（映画やバラエティ番組）における番組編成の特性から番組データを推測形成する方法について説明する。この推測形成された番組データにより番組表が形成されることとなる。
【００３５】
番組編成の特性として、平日（月〜金）の１８時までと２３時以降は、毎日同時刻（以降Ａ時間帯と記す）に類似内容の同名の番組（以降同名番組と言う）が放送される傾向が非常に強く、平日１９時〜２３時と土曜日、日曜日（終日）（以降Ｂ時間帯と言う）は、毎週同じ曜日に同名番組が放送される傾向が非常に強い。このため本例では、番組データが未受信の番組について、Ａ時間帯の番組については他の日（例えば平日における前日）における同時刻の番組データを用いて番組データを推測する。また、Ｂ時間帯の番組については同じ曜日の他の日（例えば１週間前）における同時刻の番組データを用いて番組データを推測する。
【００３６】
この推測のための番組データはＲＡＭ８に記憶されており、またＲＡＭ８に記憶された番組データは常に最新の受信による番組データに書き換えられているので推測精度は高いものとなる。推測するための番組データは、推測対象の番組に時間的に最も近い（１日前（１日後）１週間前（１週間前））日の番組データが好ましい。尚、Ａ・Ｂ時間帯については、ユーザがリモコン１４の操作等により設定できる方が番組編成の多様性に対応可能で、その場合にはその設定データがＲＡＭ８に記憶されることとなる。
【００３７】
上記したように、本発明の実施の形態に係る番組表表示装置によれば、番組データ未受信の場合でも、適切な推定処理により高精度で番組データが推測形成され、迅速に適切な番組表を表示することができる。また、推測された番組情報、連続番組、放送時間変更のあった番組、リレー番組等が容易に把握できる番組表が表示され、ユーザにとって有用な番組表示となる。
【図面の簡単な説明】
【図１】  本発明の実施の形態に係る番組表表示装置を内蔵したディジタルテレビ放送受信装置の概略構成を示すブロック図である。
【図２】  実施の形態に係る番組表表示装置のマイコンが行う番組表の表示処理を示すフローチャートである。
【図３】  ディスプレイに表示された番組表の表示例を示す説明図である。
【図４】  ディスプレイに表示された番組表の表示例を示す説明図である。
【図５】  ディスプレイに表示された番組表の表示例を示す説明図である。
【図６】  ディスプレイに表示された番組表の表示例を示す説明図である。
【符号の説明】
１    チューナ
２    復調部
３    デコード部
４    音声デコード部
５    映像デコード部
６    映像処理部
８    ＲＡＭ
１０    ＣＰＵ
【図１】
0003913071.tif 000002
【図２】
0003913071.tif 000003
【図３】
0003913071.tif 000004
【図４】
0003913071.tif 000005
【図５】
0003913071.tif 000006
【図６】
0003913071.tif 000007